(57)【特許請求の範囲】
【請求項１】
並んで設置される複数の視覚障害者誘導ブロックと、
前記各視覚障害者誘導ブロック毎に設けられ、所定の電圧を供給する電源線と電気的に接続される接続部とを備え、
前記各視覚障害者誘導ブロックは、コンクリートブロックと、前記コンクリートブロックの表面上に突出するように前記コンクリートブロックに埋設されるとともに、前記コンクリートブロック中に含有されるアルカリ成分に対する耐性を有する材料によって形成され、標識体としての機能を有する突出部材と、前記コンクリートブロックの表面の前記突出部材に対応する位置に設けられ、所定の電圧が供給されることにより、前記突出部材が設けられた領域内の所定の領域から光を照射する発光部とを含み、
前記接続部は、その接続部が設けられた前記視覚障害者誘導ブロックの前記発光部と電気的に接続されており、その発光部と当該接続部との接続は外すことが可能となっている、視覚障害者誘導ブロック群。
【請求項２】
前記突出部材は、前記コンクリートブロック中に含有されるアルカリ成分に対する耐性を有する金属材料を含む、請求項１に記載の視覚障害者誘導ブロック群。
【請求項３】
前記突出部材は、貫通孔を有しており、
前記発光部は、平面的に見て前記突出部材の貫通孔内の位置に配置されている、請求項１又は２に記載の視覚障害者誘導ブロック群。
【請求項４】
前記突出部材は、少なくともその一部が前記コンクリートブロックの表面上に突出される突出部と、前記突出部から前記コンクリートブロック中に延びるように設けられ、前記突出部材を前記コンクリートブロックに対して固定するための固定部とを有する、請求項１〜３のいずれか１項に記載の視覚障害者誘導ブロック群。
【発明の詳細な説明】
【技術分野】
【０００１】
本発明は、視覚障害者誘導ブロック群に関するものである。
【背景技術】
【０００２】
従来、視覚障害者の歩行を誘導するための視覚障害者誘導ブロックが知られている（たとえば、特許文献１参照）。
【０００３】
上記特許文献１に開示された従来の一例による視覚障害者誘導ブロック（以下、誘導ブロックという）では、その表面に視覚障害者に誘導ブロックを認識させるための標識体として機能する複数の突出部が設けられている。また、上記特許文献１には、上記の複数の突出部の一部を発光する突出部とした構造が開示されている。この構造では、コンクリート製の基盤表面の発光する突出部を設ける位置に凹部（光源収納空間）が形成されるとともに、その凹部内に合成樹脂材中に封入されたＬＥＤ（Ｌｉｇｈｔ  Ｅｍｉｔｔｉｎｇ  Ｄｉｏｄｅ）が光源として設置されている。そして、光源の合成樹脂材の上部をコンクリート基盤の表面上に突出させることにより突出部が形成されるとともに、凹部内に位置する光源の合成樹脂材とコンクリート基盤との間隙には、シリコンなどのコーキング材が充填されている。
【特許文献１】実用新案登録第２５９２４５６号公報
【発明の開示】
【発明が解決しようとする課題】
【０００４】
しかしながら、上記特許文献１に開示された誘導ブロックでは、コンクリート基盤に含有されるアルカリ成分が、コンクリート基盤の表面およびコーキング材の表面上を介する経路や、コーキング材の一部に貫通孔が生じた場合、その貫通孔を介する経路などによって、水分と共に合成樹脂材からなる突出部に付着する場合があると考えられる。この場合には、合成樹脂材からなる突出部は、付着したアルカリ成分により劣化する場合があると考えられるので、突出部の耐久性が低下するという問題点がある。
【０００５】
この発明は、上記のような課題を解決するためになされたものであり、この発明の１つの目的は、標識体としての突出部の耐久性を向上させることが可能な視覚障害者誘導ブロック群を提供することである。
【課題を解決するための手段】
【０００６】
上記目的を達成するために、この発明の視覚障害者誘導ブロック群は、並んで設置される複数の視覚障害者誘導ブロックと、前記各視覚障害者誘導ブロック毎に設けられ、所定の電圧を供給する電源線と電気的に接続される接続部とを備え、前記各視覚障害者誘導ブロックは、コンクリートブロックと、前記コンクリートブロックの表面上に突出するように前記コンクリートブロックに埋設されるとともに、前記コンクリートブロック中に含有されるアルカリ成分に対する耐性を有する材料によって形成され、標識体としての機能を有する突出部材と、前記コンクリートブロックの表面の前記突出部材に対応する位置に設けられ、所定の電圧が供給されることにより、前記突出部材が設けられた領域内の所定の領域から光を照射する発光部とを含み、前記接続部は、その接続部が設けられた前記視覚障害者誘導ブロックの前記発光部と電気的に接続されており、その発光部と当該接続部との接続は外すことが可能となっている。
【０００７】
この視覚障害者誘導ブロック群では、上記のように、コンクリートブロックに埋設される標識体としての機能を有する突出部材を、コンクリートブロック中に含有されるアルカリ成分に対する耐性を有する材料により形成することによって、突出部材がコンクリートブロック中のアルカリ成分によって劣化するのを抑制することができる。これにより、標識体としての突出部材の耐久性を向上させることができる。また、この視覚障害者誘導ブロック群では、発光部から照射される光により、標識体としての突出部材を弱視者などの視覚障害者に認識しやすくすることができる。また、この視覚障害者誘導ブロック群では、複数の誘導ブロックを敷設するとともに、各誘導ブロックの接続部を電源線に接続した後に発光部の発光不良などの不具合が生じた場合にも、その不具合が生じた発光部を含む誘導ブロックのみを対応する接続部から外して交換すればよいので、容易に敷設後のメンテナンスを行うことができる。
【０００８】
上記視覚障害者誘導ブロック群において、突出部材は、コンクリートブロック中に含有されるアルカリ成分に対する耐性を有する金属材料を含んでいてもよい。
【０００９】
この視覚障害者誘導ブロック群において、好ましくは、突出部材は、貫通孔を有しており、発光部は、平面的に見て突出部の貫通孔内の位置に配置されている。このように構成すれば、突出部材の貫通孔を介して発光部から光を照射させることができるので、発光部がコンクリートブロックの表面の突出部材に対応する位置に設けられている場合にも、容易に、外部へ光を照射させることができる。
【００１０】
上記視覚障害者誘導ブロック群において、好ましくは、突出部材は、少なくともその一部がコンクリートブロックの表面上に突出される突出部と、突出部からコンクリートブロック中に延びるように設けられ、突出部材をコンクリートブロックに対して固定するための固定部とを有する。このように構成すれば、固定部により、突出部材をコンクリートブロックに対して確実に固定することができる。
【発明の効果】
【００１１】
本発明による視覚障害者誘導ブロック群では、コンクリートブロックに埋設される標識体としての機能を有する突出部材を、コンクリートブロック中に含有されるアルカリ成分に対する耐性を有する材料により形成することによって、突出部材がコンクリートブロック中のアルカリ成分によって劣化するのを抑制することができる。これにより、標識体としての突出部材の耐久性を向上させることができる。
【発明を実施するための最良の形態】
【００１２】
以下、本発明の実施形態を図面に基づいて説明する。
【００１３】
図１は、本発明の一実施形態による視覚障害者誘導ブロックの全体構成を示した斜視図である。図２、図３および図４は、それぞれ、図１に示した一実施形態による視覚障害者誘導ブロックの平面図、正面図および側面図である。図５は、図１に示した一実施形態による視覚障害者誘導ブロックを歩道に敷設した状態を説明するための断面図である。図６は、図１に示した一実施形態による視覚障害者誘導ブロックに用いる発光装置の構成を説明するための断面図である。まず、図１〜図６を参照して、本発明の一実施形態による視覚障害者誘導ブロック１００の構成について説明する。
【００１４】
本実施形態による視覚障害者誘導ブロック１００（以下、誘導ブロック１００という）は、図１〜図４に示すように、直方体形状を有するコンクリートブロック１を備えている。このコンクリートブロック１は、例えば約３００ｍｍの長さＬ１、約７５ｍｍの幅Ｗ１および約６０ｍｍの高さＨ１を有している。また、コンクリートブロック１は、強度の向上のためにガラス繊維が添加されたセメント（ＧＲＣ：ガラス繊維補強セメント）を用いて形成されている。また、コンクリートブロック１の上面の幅（Ｗ１）方向の中央部には、視覚障害者に誘導ブロック１００を認識させるための標識体としての４つの突出部材２
が、コンクリートブロック１の長さ（Ｌ１）方向に沿ってそれぞれ約１０ｍｍの間隔を隔てて設置されている。この突出部材２は、コンクリートブロック１の上面から突出する突出部３と、突出部３から下方に延びるように設けられた一対の固定部４（図５参照）とによって構成されている。
【００１５】
また、本実施形態では、突出部材２を構成する突出部３および固定部４は、共に、コンクリートブロック１中のアルカリ成分に対する耐性を有するステンレスによって形成されている。また、突出部３は、図２に示すように、平面的に見て小判型の形状を有している。また、突出部３は、約６５ｍｍの長さＬ２、約２８ｍｍの幅Ｗ２および約５ｍｍの高さＨ２を有している。そして、突出部３は、約５ｍｍの高さＨ２の分、コンクリートブロック１の上面から突出するように設置されている。
【００１６】
また、突出部３の外周を構成する下端部３ａが平面的に見て小判型形状に形成されているとともに、突出部３の上端面３ｂが平面的に見て下端部３ａの外周の内側において、その外周よりも一回り小さい小判型形状を有するように形成されている。そして、上端面３ｂと下端部３ａとの間に形成された側面部３ｃは、上端面３ｂから下端部３ａ側へ傾斜する斜面状に形成されている。また、この斜面上の側面部３ｃと上端面３ｂとの境界に形成された角部３ｄは、丸みを帯びた形状に形成されている。また、突出部３は、コンクリートブロック１の上面にお椀を伏せたような形状に形成されており、突出部３内のコンクリートブロック１上の領域には、中空の空間Ａ（図５参照）が形成されている。また、突出部３の上端面３ｂの中央部には、約９ｍｍの直径を有する丸型の貫通孔３ｅが形成されている。
【００１７】
また、一対の固定部４は、突出部３の下面に取付けられている。この一対の固定部４は、貫通孔３ｅを挟むように、貫通孔３ｅの突出部３の長さ（Ｌ２）方向の両側に配置されている。また、固定部４は、突出部３の下面から下方へコンクリートブロック１中に延びるように設けられている。また、一対の固定部４の下端部４ａは、それぞれ、突出部３の長さ（Ｌ２）方向に沿って外側に屈曲するように形成されている。突出部材２は、固定部４をコンクリートブロック１中に埋め込むことによって、コンクリートブロック１に対して固定される。
【００１８】
また、本実施形態では、各突出部材２毎に、１つの発光装置５が設けられている。この発光装置５は、コンクリートブロック１の上面の突出部３の貫通孔３ｅに対応する位置に設けられている。また、発光装置５は、上記した突出部３内の中空の空間Ａに配置されている。また、発光装置５は、図６に示すように、ＬＥＤ素子６と、金属管７と、六角ナット８とによって構成されている。
【００１９】
ＬＥＤ素子６は、平面的に見て突出部３の貫通孔３ｅ内の位置に配置されている。また、ＬＥＤ素子６は、コンクリートブロック１の上面に対して実質的に鉛直方向に突出するようにコンクリートブロック１に埋設されており、突出部３の貫通孔３ｅを介して外部へ光を照射するように構成されている。また、ＬＥＤ素子６は、突出部３の貫通孔３ｅに下方から挿入されている。ただし、ＬＥＤ素子６は、その外装体６ａの上部が突出部３の上端面３ｂから上方に突出しないように設置されている。なお、ＬＥＤ素子６は、約２０ｍＡの消費電流および約０．４８Ｗの消費電力を有する。また、ＬＥＤ素子６は、平面的に見て丸型の透明な樹脂製の外装体６ａ内に、光源としてのＬＥＤ部６ｂが埋め込まれることによって形成されている。そして、ＬＥＤ部６ｂの一対の端子に一対の配線９が接続されており、ＬＥＤ部６ｂは、この一対の配線９を介して電圧が供給されることにより発光するように構成されている。なお、本実施形態によるＬＥＤ部６ｂは、所定の時間間隔で点滅するように構成されている。
【００２０】
また、金属管７は、ステンレスを用いて円筒状に形成されており、この金属管７内に上記のＬＥＤ素子６が収容されている。ただし、ＬＥＤ素子６は、その上部が所定の長さだけ金属管７の上端から突出するように設置されている。そして、発光装置５がコンクリートブロック１の上面に設置される際、ＬＥＤ素子６の金属管７に覆われた部分がコンクリートブロック１中に埋め込まれる。また、金属管７の上端部近傍の外側面には、ねじ部が形成されている。このねじ部に対して、上記の六角ナット８が螺合されている。そして、六角ナット８が突出部３の下面に対して接着剤などによって接合されることにより、発光装置５は、突出部３に対して固定されている。
【００２１】
また、本実施形態では、図５に示すように、１つの突出部材２と１つの発光装置５とを１組として、４組の突出部材２および発光装置５がコンクリートブロック１の長さ（Ｌ１）方向に沿って配置されている。また、隣接して配置された２つの発光装置５のＬＥＤ素子６（ＬＥＤ部６ｂ）は、配線９を介して互いに接続されている。これにより、４つの発光装置５のＬＥＤ素子６は、電気的に直列に接続されている。また、コンクリートブロック１の長さ（Ｌ１）方向の両端部側に位置する２つのＬＥＤ素子６では、それぞれ、他のＬＥＤ素子６と接続されていない一方の端子が配線９を介して接続ボックス（接続部）１０に電気的に接続されている。これにより、４つの発光装置５のＬＥＤ素子６は、１つの接続ボックス１０に電気的に接続されている。また、接続ボックス１０は、各誘導ブロック１００毎に１つ設けられている。また、接続ボックス１０は、約５０ｍｍの長さ、約３０ｍｍの幅および約２０ｍｍの高さを有しており、塩化ビニル製の外装体を備えている。
【００２２】
また、接続ボックス１０は、図５に示すように誘導ブロック１００を歩道に敷設する場合に、地中２００に埋設される。また、複数の誘導ブロック１００を敷設する場合、各誘導ブロック１００は、所定の間隔（本実施形態では、約４ｍｍの間隔）を隔てて、地面上に並べられるとともに、隣接する誘導ブロック１００間には、目地材１５０が埋め込まれる。そして、地中２００に埋設された各誘導ブロック１００の接続ボックス１０は、全て電源線１１に電気的に接続される。この電源線１１には、図示しない電源から約２４Ｖの直流電圧が供給される。これにより、図示しない電源から電源線１１および各誘導ブロック１００の接続ボックス１０を介して、全ての誘導ブロック１００のＬＥＤ素子６に約２４Ｖの直流電圧が供給されることによって、それらのＬＥＤ素子６が発光されるように構成されている。
【００２３】
本実施形態では、上記のように、コンクリートブロック１に埋設される標識体としての機能を有する突出部材２を、コンクリートブロック１中に含有されるアルカリ成分に対する耐性を有するステンレスにより形成することによって、突出部材２がコンクリートブロック１中のアルカリ成分によって劣化するのを抑制することができる。これにより、標識体としての突出部材２の耐久性を向上させることができる。
【００２４】
また、本実施形態では、コンクリートブロック１の上面の平面的に見て突出部３の貫通孔３ｅ内の位置にＬＥＤ素子６を設けることによって、ＬＥＤ素子６から突出部３の貫通孔３ｅを介して照射される光により、標識体としての突出部３を弱視者などの視覚障害者に認識しやすくすることができる。
【００２５】
また、本実施形態では、誘導ブロック１００のコンクリートブロック１の上面に設置した４つの発光装置５のＬＥＤ素子６を１つの接続ボックス１０に電気的に接続することによって、複数の誘導ブロック１００を敷設するとともに、複数の誘導ブロック１００に対応する各接続ボックス１０を電源線１１に接続した後にＬＥＤ素子６の発光不良などの不具合が生じた場合にも、その不具合が生じたＬＥＤ素子６を含む誘導ブロック１００のみを対応する接続ボックス１０から外して交換すればよいので、容易に敷設後のメンテナンスを行うことができる。
【００２６】
また、本実施形態では、突出部３からコンクリートブロック１中に延びるように、突出部材２をコンクリートブロック１に対して固定するための一対の固定部４を設けることによって、一対の固定部４により、突出部材２をコンクリートブロック１に対して確実に固定することができる。
【００２７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００２８】
たとえば、上記実施形態では、突出部材２をコンクリートブロック１中のアルカリ成分に耐性を有するステンレスによって形成したが、本発明はこれに限らず、アルカリ成分に対する耐性を有する材料であれば、他の材料を用いて突出部材２を形成してもよい。たとえば、アルカリ成分に対する耐性を有する樹脂材料またはステンレス以外の金属材料などを用いて突出部材を形成してもよい。特に、突出部材の材料として金属材料や硬質の樹脂材料を用いることによって、ＬＥＤ素子６の外装体６ａの磨耗を防止することができる。
【００２９】
また、上記実施形態では、発光装置５の六角ナット８を接着剤を用いて突出部３に接合することにより発光装置５を突出部３に対して固定したが、本発明はこれに限らず、上記以外の方法を用いて発光装置５を突出部３に対して固定してもよい。たとえば、突出部３の下面の貫通孔３ｅの周囲に下方へ突出するねじ部を形成するとともに、そのねじ部と発光装置５の六角ナット８とを螺合させることによって、発光装置５を突出部３に対して固定してもよい。
【００３０】
また、上記実施形態では、ＬＥＤ部６ｂが外装体６ａ内に埋め込まれているが、本発明はこれに限らず、ＬＥＤ部６ｂの上部のみに外装体を取り付けるとともに、ＬＥＤ部６ｂの下部をシーリングしてもよい。
【００３１】
また、上記実施形態による突出部３の構成に限らず、たとえば、突出部３に、歩行者が突出部３を踏んだ際に滑るのを抑制するための滑り止め部を設けてもよい。具体的には、図７に示すように、突出部３の上端面３ｂに突出部３の幅（Ｗ２）方向に沿って直線的に延びるように複数の溝状の滑り止め部２０を形成してもよい。なお、滑り止め部２０は、このような直線的に延びる溝状に限らず、他の種々の形状であってもよい。
【００３２】
また、上記実施形態では、コンクリートブロック１の上面の幅（Ｗ１）方向の中央部に、コンクリートブロック１の長さ（Ｌ１）方向に沿って、４組の突出部材２および発光装置５を所定の間隔を隔てて配置したが、本発明はこれに限らず、コンクリートブロック１の表面に上記以外の配置方法によって突出部材２および発光装置５の少なくともいずれか一方を配置してもよい。
【００３３】
また、上記実施形態では、突出部材２の突出部３を平面的に見て小判型の形状に形成したが、本発明はこれに限らず、突出部３を平面的に見て小判型以外の形状に形成してもよい。
【図面の簡単な説明】
【００３４】
【図１】本発明の一実施形態による視覚障害者誘導ブロックの全体構成を示した斜視図である。
【図２】図１に示した一実施形態による視覚障害者誘導ブロックの平面図である。
【図３】図１に示した一実施形態による視覚障害者誘導ブロックの正面図である。
【図４】図１に示した一実施形態による視覚障害者誘導ブロックの側面図である。
【図５】図１に示した一実施形態による視覚障害者誘導ブロックを歩道に敷設した状態を説明するための断面図である。
【図６】図１に示した一実施形態による視覚障害者誘導ブロックに用いる発光装置の構成を説明するための断面図である。
【図７】本発明の一実施形態の変形例による視覚障害者誘導ブロックの平面図である。
【符号の説明】
【００３５】
１  コンクリートブロック
２  突出部材
３  突出部
３ｅ  貫通孔
４  固定部
５  発光装置
６  ＬＥＤ素子（発光部）
９  配線
１０  接続ボックス（接続部）
１００  視覚障害者誘導ブロック
【図１】
0004676853.tif 000002
【図２】
0004676853.tif 000003
【図３】
0004676853.tif 000004
【図４】
0004676853.tif 000005
【図５】
0004676853.tif 000006
【図６】
0004676853.tif 000007
【図７】
0004676853.tif 000008